(57)【特許請求の範囲】
【請求項１】
光学素子と、
前記光学素子を所定位置に収納する収納凹部と光学窓とを有するハウジングを有し、
さらに、前記ハウジングの収納凹部の前記光学窓と対向する面には、前記光学素子の挿入方向と略平行な少なくとも１つの略直線状の凸状レールを有し、
前記光学素子の底面には、前記ハウジング内に挿入された際、前記凸状レールと係合する凹状溝を有し、
前記凹状溝は、長さ方向で異なる位置に設けられた前記凸状レールの側面のみと接する第一係合部と、前記凸状レールの上面のみと接する第二係合部と、からなることを特徴とする光学素子の固定構造。
【請求項２】
前記第一係合部は、前記第二係合部と比較して溝の幅が狭いことを特徴とする請求項１に記載の光学素子の固定構造。
【請求項３】
前記第二係合部は、前記第一係合部と比較して溝の深さが浅いことを特徴とする請求項１又は２に記載の光学素子の固定構造。
【請求項４】
前記凸状レールは、前記収納凹部の挿入口から奥に向かうに従い、順次又は段階的に高さが高くなることを特徴とする請求項１ないし３いずれかに記載の光学素子の固定構造。
【請求項５】
前記第一係合部は、前記光学素子が前記収納凹部に収納された際、奥側となるよう設けられ、前記第一係合部に続いて前記第二係合部が設けられていることを特徴とする請求項４に記載の光学素子の固定構造。
【請求項６】
前記第二係合部は、凹状溝が平坦面であることを特徴とする請求項１ないし５いずれかに記載の光学素子の固定構造。
【請求項７】
前記凸状レール及び凹状溝は少なくとも２対以上設けられてなることを特徴とする請求項１ないし６いずれかに記載の光学素子の固定構造。
【請求項８】
光学素子は、発光ダイオード、受光素子、ＶＣＳＥＬのいずれかの光通信用エレメントを含むことを特徴とする請求項２ないし７いずれかに記載の光学素子の固定構造。
【発明の詳細な説明】
【技術分野】
【０００１】
本発明は、素子パッケージやレセプタクルなどに、光学素子を互いに組立固定を簡単、確実に行えるようにした光学素子の固定構造に関する。
【背景技術】
【０００２】
例えば、左右対称の光通信素子を樹脂パッケージ等に封止した光学素子をレセプタクル等のハウジング内に収納する場合、正確な位置合わせを行わせる必要がある。図８および図９にその構成の一例を示す。図８はレセプタクルなどのハウジング内に光学素子を挿入固定した状態の縦断側面図、図９は図８の左側から見た断面説明図である。Ａは収納凹部１と光学窓２とを有するハウジング（レセプタクル）、Ｂは各種ダイオードなどの光通信素子３を封入した樹脂パッケージより成る光学素子を示し、光学素子ＢをハウジングＡ内で正確な位置合わせを行う際、収納凹部１内の最深部や側面に必要数の突起４を設けたり、或は図１０に示すように光学素子Ｂ側に溝５を設けて、前後左右の位置規制を行っている。
【０００３】
このような構成に対し、ハウジング側に位置決め用の段差を形成するものも知られている（例えば、特許文献１参照。）。
【特許文献１】特開２００１−３２４６３１号公報
【発明の開示】
【発明が解決しようとする課題】
【０００４】
上述の従来例では、図８，図９の場合にあっては、左右の位置合わせがクリアランス分の誤差が生じるという問題があり、また図１０に示す光学素子Ｂ側の溝５により位置合わせを行う方法では、主に左右の位置規制を前後の位置規制と共に一度に行うため、素子に歪を生じさせるという問題点があった。
【０００５】
本発明は叙上の点に着目してなされたもので、光学素子に凹状溝を設けると共に、この光学素子を収納するハウジングに前記凹状溝に係合する突起を設け、突起は凸状レールとし、前記凹状溝は前記凸状レールの側面のみと接する第一係合部と、上面のみと接する第二係合部とを形成できるようにして目的を分けることにより上記課題を解決した。
【課題を解決するための手段】
【０００６】
本発明は、以下の構成を備えることにより上記が課題を解決した。
【０００７】
（１）光学素子と、前記光学素子を所定位置に収納する収納凹部と光学窓とを有するハウジングを有し、さらに、前記ハウジングの収納凹部の前記光学窓と対向する面には、前記光学素子の挿入方向と略平行な少なくとも１つの略直線状の凸状レールを有し、前記光学素子の底面には、前記ハウジング内に挿入された際、前記凸状レールと係合する凹状溝を有し、前記凹状溝は、長さ方向で異なる位置に設けられた前記凸状レールの側面のみと接する第一係合部と、前記凸状レールの上面のみと接する第二係合部と、からなることを特徴とする光学素子の固定構造。
【０００８】
（２）前記第一係合部は、前記第二係合部と比較して溝の幅が狭いことを特徴とする前記（１）に記載の光学素子の固定構造。
【０００９】
（３）前記第二係合部は、前記第一係合部と比較して溝の深さが浅いことを特徴とする前記（１）又は（２）に記載の光学素子の固定構造。
【００１０】
（４）前記凸状レールは、前記収納凹部の挿入口から奥に向かうに従い、順次又は段階的に高さが高くなることを特徴とする前記（１）ないし（３）いずれかに記載の光学素子の固定構造。
【００１１】
（５）前記第一係合部は、前記光学素子が前記収納凹部に収納された際、奥側となるよう設けられ、前記第一係合部に続いて前記第二係合部が設けられていることを特徴とする前記（４）に記載の光学素子の固定構造。
【００１２】
（６）前記第二係合部は、凹状溝が平坦面であることを特徴とする前記（１）ないし（５）いずれかに記載の光学素子の固定構造。
【００１３】
（７）前記凸状レール及び凹状溝は少なくとも２対以上設けられてなることを特徴とする前記（１）ないし（６）いずれかに記載の光学素子の固定構造。
【００１４】
（８）光学素子は、発光ダイオード、受光素子、ＶＣＳＥＬのいずれかの光通信用エレメントを含むことを特徴とする前記（２）ないし（７）いずれかに記載の光学素子の固定構造。
【発明の効果】
【００１５】
本発明によれば、溝と突起という係合構成にあって、レセプタクルには単純構造のライン状の凸状レールで良く、光通信素子を備えた光学素子には、前記凸状レールと係合する凹状溝を穿設すると共に、この凹状溝は長さ方向で凸状レールの側面のみと接する第一係合部と、前記凸状レールの上面のみと接する第二係合部とで位置決めされた状態で確実に係合させることができるという効果がある。
【００１６】
また、レセプタクルの凸状レールは、収納部内であってもきわめて構造の簡単な直線状であるため、型製作が簡単であり型費用も安価となり、さらに光学素子の挿込操作を簡単に行えるという利点がある。
【発明を実施するための最良の形態】
【００１７】
以下、本発明の代表的な一実施例を図面と共に説明する。
【実施例】
【００１８】
図１Ａは、レセプタクルと光学素子とを離開させた係合前の斜視図、図１Ｂは、図１Ａの光学素子を示すもので、（ａ）は正面図、（ｂ）はＡ−Ａ線断面図、（ｃ）は上面図、図２は図１Ａの光学素子の平面図、図３（ａ），（ｂ）は光学素子をレセプタクルに挿込係止させる過程を示すＡ−Ａ線およびＢ−Ｂ線断面説明図である。
【００１９】
図において、Ａは、収納凹部１および挿入口１ａを備え、側面に光学窓２を設けたハウジング（レセプタクル）、Ｂは、各種ダイオードなどの光通信素子（図示せず）を封入した樹脂パッケージより成る光学素子を夫々示し、ハウジングＡ内に光学素子Ｂを挿入係合できる構成を備える。なお、図１ＡにおけるハウジングＡの光学窓２は図面が複雑になるため簡略化している。このハウジングＡに設けた光学窓２は光学素子ＢとハウジングＡの外部との光通信を行うためのものであり、開口を設け光ファイバーと接続する場合や、開口を設けずに透明な材料または、特定の波長の光を透過する材料で光学窓２を形成するものがある。
【００２０】
ハウジングＡの収納凹部１には光学窓２と対向する面に挿入口１ａより収納凹部１内に向って直線方向に離開した二本の突起、すなわち凸状レール４Ａ，４Ａが突出させてあり、他方光学素子Ｂには前記二本の凸状レール４Ａ，４Ａに係入する二本の溝、すなわち凹状溝５Ｂ，５Ｂを穿ってある。そしてこの二本の凹状溝５Ｂ，５Ｂ、長さ方向で異なる位置に設けられる第一係合部Ｘと第二係合部Ｙとを設けてある。
【００２１】
そして第一係合部Ｘは、前記凸状レール４Ａの側面４ＡＸと係合し、第二係合部Ｙは、前記凸状レール４Ａの上面４ＡＹと係止できるようになっている。なお、本実施例では、第一係合部Ｘでは凸状レール４Ａ，４Ａの角部にはカット部Ｃをまた、凹状溝の両側すなわち内側の側面には前記カット部と同じ傾斜の斜面Ｃを形成してあり、第一係合部Ｘの係合状態は斜面Ｃとカット部Ｃで係止される。
【００２２】
また、これとは別に、図４に示すように斜面Ｃとカット部Ｃを設けず、第一係合部Ｘは前記凸状レール４Ａの側面４ＡＸと、第一係合部Ｘの内側側面で係止するようにしても良い。
【００２３】
つぎに、図５の実施例について説明する。
【００２４】
この実施例は、上記実施例の第一係合部と第二係合部との配列を上下反転させただけである。即ち、レセプタクルＡの二本の凸状レール４Ａ，４Ａは同一形状でよく、光学素子Ｂの二本の凹状溝５Ｂ，５Ｂを構成する係止部を、第二係合部Ｙおよび第一係合部Ｘと配設順序を変えただけである。
【００２５】
レセプタクルＡの二本の凸状レール４Ａ，４Ａとの係合作用は全く同一であって異なる処はない。
【００２６】
つぎに、光学素子Ｂの凹状溝を左右端縁に沿って形成した変形例の凹状溝５Ｂ，５Ｂを図６，図７に示す。そして、レセプタクルＡの収納凹部１内に傾斜面６（図６参照）や段階面７（図７参照）を形成し、これに順応する傾斜面８、段階面９を光学素子Ｂに形成して、光学素子ＢをレセプタクルＡの収納凹部１内で左右、前後、上下の位置決めを行わせることができる。なお、図７の実施例の場合、凹状溝のうち第二係合部は、平坦として形成して、凸状レールの上面と接するようにしており、凹状溝の第二係合部は必ずしも溝である必要はないものである。
【００２７】
以上、本発明の実施例を数多記述したが、レセプタクルＡの突起は、凸状レールだけに限らず不連続でも良く、途中で分割されていても点状であっても良い。
【００２８】
そして上記説明において、光学素子は発光ダイオード、受光素子（フォトダイオード）、ＶＣＳＥＬ等に適用できる。
【００２９】
しかも、光学素子を収納するものは、ハウジングまたはレセプタクルとして説明したが、コネクタなど接続手段を用いる光学エレメントに広く適用できる。
【図面の簡単な説明】
【００３０】
【図１Ａ】本発明に係るレセプタクルと光学素子とを離開させた係合前の斜視図
【図１Ｂ】図１Ａの光学素子を示すもので、（ａ）は正面図、（ｂ）はＡ−Ａ線断面図、（ｃ）は上面図
【図２】図１Ａの光学素子の平面図
【図３】（ａ），（ｂ）は光学素子をレセプタクルに挿込係止させる過程を示すＡ−Ａ線、Ｂ−Ｂ線断面説明図
【図４】図２の変形例を示すＡ−Ａ線断面説明図
【図５】本発明の他の実施例を示す光学素子であって、（ａ）は平面図、（ｂ）は側面図、（ｃ）はＡ−Ａ線の断面図、（ｄ）はＢ線の断面図、（ｅ）はＣ線の断面図
【図６】本発明の他の実施例で傾斜面構造を備えたレセプタクルと光学素子の説明図
【図７】本発明のさらに他の実施例の段階構造を備えたレセプタクルと光学素子の説明図
【図８】従来例の断面説明図
【図９】図８の平面説明図
【図１０】従来例の光学素子の平面図
【符号の説明】
【００３１】
Ａ      レセプタクル
Ｂ      光学素子
Ｃ      斜面
１      収納凹部
１ａ    挿入口
２      光学窓
４Ａ    凸状溝
５Ｂ    凹状溝
Ｘ      第一係合部
Ｙ      第二係合部
４ＡＸ  側面
４ＡＹ  上面
６，８  傾斜面
７，９  段階面
【図１Ａ】
0004841181.tif 000002
【図１Ｂ】
0004841181.tif 000003
【図２】
0004841181.tif 000004
【図３】
0004841181.tif 000005
【図４】
0004841181.tif 000006
【図５】
0004841181.tif 000007
【図６】
0004841181.tif 000008
【図７】
0004841181.tif 000009
【図８】
0004841181.tif 000010
【図９】
0004841181.tif 000011
【図１０】
0004841181.tif 000012